【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
多数の穴が形成された中空の頭骨型材に薄膜を載置して、該薄膜に人毛からなる毛材を植毛したかつらの製造方法であって、
毛流が表示された植毛用デザイン台紙を薄膜に密着させ、
植毛用デザイン台紙に表示された毛流にしたがって人毛からなる毛材の基端部を前記薄膜に貫通させ、
頭骨型材に設けられた穴から毛材の先端側が引き出され、かつ、貫通した毛材の基端部を上方に向けた状態に設定し、
前記状態において、毛材の基端部を所定の方向に屈折させ、合成樹脂皮膜を形成することを特徴とする植毛かつらの製造方法。
【請求項２】
頭骨型材に設けられた穴から毛材の先端側が引き出され、かつ、貫通した毛材の基端部を上方に向けた状態に設定する手段は、
頭骨型材の凸側表面に薄膜を載置する場合は、内面側から頭骨型材に形成された多数の穴を利用して薄膜に毛材の基端部を貫通させることを特徴とする請求項１記載の植毛かつらの製造方法。
【請求項３】
頭骨型材に設けられた穴から毛材の先端側が引き出され、かつ、貫通した毛材の基端部を上方に向けた状態に設定する手段は、
頭骨型材の凹部裏面に薄膜を載置する場合は、凹部裏面を上方に向けてセットし、凸面側から頭骨型材に形成された多数の穴を利用して薄膜に毛材の基端部を貫通させることを特徴とする請求項１又は２記載の植毛かつらの製造方法。
【請求項４】
多数の穴が形成された中空の頭骨型材に薄膜を載置して、該薄膜に人毛からなる毛材を植毛してつむじが形成されたかつらの製造方法であることを特徴とする請求項１〜３のいずれかに記載の植毛かつらの製造方法。
【請求項５】
毛材は、あらかじめ所定角度に屈折クセが付与された屈折毛材であることを特徴とする請求項１〜４のいずれかに記載された植毛かつらの製造方法。
【請求項６】
請求項１〜５のいずれかに記載された植毛かつらの製造方法に用いられる毛流が表示されたかつら製造用のデザイン台紙。
【請求項７】
請求項１〜５のいずれかに記載された植毛かつらの製造方法に用いられる基端部を屈折した植毛用毛材。
【請求項８】
請求項１〜５のいずれかに記載された植毛かつらの製造方法によって製造されたかつら。 
【請求項９】
中心には植毛されていない渦巻き状のつむじが形成されているかつらであることを特徴とする請求項８記載のかつら。 
【手続補正２】
【補正対象書類名】明細書
【補正対象項目名】０００７
【補正方法】変更
【補正の内容】
【０００７】
本発明は、人毛を原料とする毛材を、設定された毛流にしたがって植毛し、基端側を薄膜に突き刺して薄膜の裏面に突き抜けた基端部分を曲折して固定して製造するかつらの製法を提供する。本製法により、つむじ中心には植毛せずに、つむじを中心とする毛流を設定して、それに合わせて人毛由来の毛材を薄膜に突き刺し、裏面側に突き抜けた基端部を曲折することにより表面側の根元から先端にかけての毛の生え方を自然にすることができることに着目し、本来のつむじを中心とした毛流を形成したかつらの製法及びかつらを提供するものである。
本発明のかつらの主な製造方法は、
多数の穴が形成された中空の頭骨型材に薄膜を載置して、該薄膜に人毛からなる毛材を植毛したかつらの製造方法であって、毛流が表示された植毛用デザイン台紙を薄膜に密着させ、植毛用デザイン台紙に表示された毛流にしたがって人毛からなる毛材の基端部を前記薄膜に貫通させ、頭骨型材に設けられた穴から毛材の先端側が引き出され、かつ、貫通した毛材の基端部を上方に向けた状態に設定し、前記状態において、毛材の基端部を所定の方向に屈折させ、合成樹脂皮膜を形成することを特徴とする植毛かつらの製造方法、
である。
この製造方法によって、次のようなつむじが形成されたかつらを実現する。
薄膜に人毛からなる毛材が植毛されており、つむじ部分を備えたかつらにおいて、
つむじの中心には植毛されておらず、
つむじを中心とする複数の系統に分けられた毛流が形成されて、全体として渦巻き状のつむじを形成しており、
毛材はキューティクルが毛先端側を開くように毛材の方向が揃えられており、
毛材の基端は薄膜を貫通し屈折して固定されており、
毛流は、植毛配列と傾斜及び／又は密度からなっており、
毛材の基端を薄膜に突き刺して貫通させ、毛流及び植毛角度に応じて薄膜から突き抜けた部分を屈折して毛材を薄膜に固定し植毛して、つむじ中心には植毛せずに渦巻き状のつむじが形成されていること
を特徴とするかつら。
【手続補正３】
【補正対象書類名】明細書
【補正対象項目名】０００８
【補正方法】変更
【補正の内容】
【０００８】
本発明によって提供できるかつらの主な構成は次のとおりである。
（Ａ） 薄膜に人毛からなる毛材が植毛されており、つむじ部分を備えたかつらにおいて、
つむじの中心には植毛されておらず、
つむじを中心とする複数の系統に分けられた毛流が形成されて、全体として渦巻き状のつむじを形成しており、
毛材はキューティクルが毛先端側を開くように毛材の方向が揃えられており、
毛材の基端は薄膜を貫通し屈折して固定されており、
毛流は、植毛配列と傾斜及び／又は密度からなっており、
毛材の基端を薄膜に突き刺して貫通させ、毛流及び植毛角度に応じて薄膜から突き抜けた部分を屈折して毛材を薄膜に固定し植毛して、つむじ中心には植毛せずに渦巻き状のつむじが形成されていること
を特徴とするかつら。
（Ｂ）薄膜を貫通した毛材の基端部の屈折は、表面側の傾斜方向とは逆向きであることを特徴とする（Ａ）記載のかつら。
（Ｃ）毛流は、植毛配列と傾斜及び／又は密度からなることを特徴とする（Ａ）又は（Ｂ）記載のカツラ。
（Ｄ）複数の毛流は４つであることを特徴とする（Ａ）〜（Ｃ）のいずれかに記載のかつ
ら。
（Ｅ）毛流の形成は、少なくともつむじ部と分け目部に形成されていることを特徴とする（Ａ）〜（Ｄ）のいずれかに記載のかつら。
【手続補正４】
【補正対象書類名】明細書
【補正対象項目名】０００９
【補正方法】変更
【補正の内容】
【０００９】
このかつらを製造する本発明の製造方法はつぎのとおりである。
多数の穴が形成された頭骨型材を用いて、人毛からなる毛材を薄膜に植毛したかつらの製造方法であって、
作成対象の毛流をデザイン用台紙に記入して毛流が表示された植毛用デザイン台紙を作成し、
透明又は半透明の薄膜の表面又は裏面に前期植毛用デザイン用台紙を添え、
毛材はキューティクルが毛先端側を開く方向とし、毛材の基端を薄膜に突き刺して貫通させ、毛流及び植毛角度に応じて前記薄膜に毛材の基端側を突き刺し、
突き刺されて薄膜裏面に貫通した基端部を該基端部を毛材の表面側の傾斜方向とは逆方向及び／又は同方向に曲折して、毛流にあわせた植毛角度を付与し、
毛材全体の曲折又は部分的に曲折が終了した後植毛用デザイン台紙全体あるいは一部を薄膜から剥離しあるいは剥離せずに、裏面側に合成樹脂製皮膜を形成することを特徴とする植毛かつらの製造方法。
（１）多数の穴が形成された中空の頭骨型材に薄膜を載置して、該薄膜に人毛からなる毛材を植毛したかつらの製造方法であって、毛流が表示された植毛用デザイン台紙を薄膜に密着させ、植毛用デザイン台紙に表示された毛流にしたがって人毛からなる毛材の基端部を前期薄膜に貫通させ、頭骨型材に設けられた穴から毛材の先端側が引き出され、かつ、貫通した毛材の基端部を上方に向けた状態に設定し、前記状態において、毛材の基端部を所定の方向に屈折させ、合成樹脂皮膜を形成することを特徴とする植毛かつらの製造方法。
（２）頭骨型材に設けられた穴から毛材の先端側が引き出され、かつ、貫通した毛材の基端部を上方に向けた状態に設定する手段は、頭骨型材の凸側表面に薄膜を載置する場合は、内面側から頭骨型材に形成された多数の穴を利用して薄膜に毛材の基端部を貫通させることを特徴とする（１）記載の植毛かつらの製造方法。
（３）頭骨型材に設けられた穴から毛材の先端側が引き出され、かつ、貫通した毛材の基端部を上方に向けた状態に設定する手段は、頭骨型材の凹部裏面に薄膜を載置する場合は、凹部裏面を上方に向けてセットし、凸面側から頭骨型材に形成された多数の穴を利用して薄膜に毛材の基端部を貫通させることを特徴とする（１）又は（２）記載の植毛かつらの製造方法。
（４）多数の穴が形成された中空の頭骨型材に薄膜を載置して、該薄膜に人毛からなる毛材を植毛してつむじが形成されたかつらの製造方法であることを特徴とする（１）〜（３）のいずれかに記載の植毛かつらの製造方法。
（５）毛材は、あらかじめ所定角度に屈折クセが付与された屈折毛材であることを特徴とする（１）〜（４）のいずれかに記載された植毛かつらの製造方法。
（６）（１）〜（５）のいずれかに記載された植毛かつらの製造方法に用いられる毛流が表示されたかつら製造用のデザイン台紙。
（７）（１）〜（５）のいずれかに記載された植毛かつらの製造方法に用いられる基端部を屈折した植毛用毛材。屈折角度は１６０〜９０°である。
（８）（１）〜（５）のいずれかに記載された植毛かつらの製造方法によって製造されたかつら。 
（９）中心には植毛されていない渦巻き状のつむじが形成されているかつらであることを特徴とする（８）記載のかつら。 
【手続補正５】
【補正対象書類名】明細書
【補正対象項目名】００１０
【補正方法】変更
【補正の内容】
【００１０】
本発明の主な効果は次のとおりである。
１．本発明によって得られるかつらは、人毛を素材とする毛材のキューティクルを自然の毛髪の方向に揃えて基端部を薄膜に突き刺し、毛流に沿った傾斜を付与した植毛を施したことにより、より自然なかつらが得られる。特に、つむじの中心に毛材が植設しないことにより、つむじ部の肌色が見えて自然性を強調することができる。つむじの中心に植毛されていると、つむじの中心部の肌が明確にならない。一本ずつ、キューティクルの方向を自然の毛髪と同方向に揃えて植えることにより、毛同士の絡みを少なくすることができ、櫛通り、セットが容易となる。また、基端部を裏面側から曲折することにより、表面側に立ち上がった毛材が自然な向きになるように植毛することが可能となった。毛流によってつむじ部分は渦巻き状に植毛されているので、洗髪後にセットがとれても、自然な渦巻き状になる。毛材を１本ずつ植設されているので、自然に適した植毛配列と傾斜及び／又は密度を実現しているので、自然な毛流れを表現することができる。
【手続補正６】
【補正対象書類名】明細書
【補正対象項目名】００１１
【補正方法】変更
【補正の内容】
【００１１】
２．本発明によって得られるかつらは、表面側とは逆向きに毛材の基端側を裏面側で屈折させているので、表面側の生え際の傾斜は自然に成長した毛のように見える。
【手続補正７】
【補正対象書類名】明細書
【補正対象項目名】００１２
【補正方法】変更
【補正の内容】
【００１２】
３．本発明によって得られるかつらは、毛材を１本ずつ植設されているので、自然に適した植毛配列と傾斜及び／又は密度を実現しているので、自然な毛流れを表現することができる。
【手続補正８】
【補正対象書類名】明細書
【補正対象項目名】００１３
【補正方法】変更
【補正の内容】
【００１３】
４．本発明によって得られるかつらは、特に、毛流を４つに分類し、さらに４つの毛流によって形成される基本パターンを４つとして、基本類型とすることにより、製造を容易とした。
【手続補正９】
【補正対象書類名】明細書
【補正対象項目名】００１４
【補正方法】変更
【補正の内容】
【００１４】
５．本発明によって得られるかつらは、毛流をつむじ部と分け目部に形成することにより、毛流の基本部分を形成したかつらを提供することができる。
【手続補正１０】
【補正対象書類名】明細書
【補正対象項目名】００１５
【補正方法】変更
【補正の内容】
【００１５】
６．本発明は、人毛を原料とする各毛材を薄膜を貫通させて突き刺し、突き抜けた基端部を裏側から曲折して表側の毛材の生え方を極めて自然に見えるようにしたものである。毛材の方向は自然の頭髪と同様にキューティクルが先願側を開いた方向とする。
７．本発明は、つむじ中心には植毛せずに、各毛材の向き植毛角度を調整することにより、毛流を表現し、その毛流の中心がつむじ中心となるように形成したつむじ部分の形成方法である。刺し植による裏面側の折り曲げ方向及び折り曲げ強さによって表面側の毛材の向きは立ち上がり角度を設定しているので、つむじ部を上面から見ても自然の毛髪に類似させることができる。
８．本発明は、人毛を原料とする毛材を１本植して毛流を形成する具体的なかつらの製造方法を提供する。特に、植毛用デザイン用台紙を用いることにより、突き刺し工程を容易にすることができる。
【手続補正１１】
【補正対象書類名】明細書
【補正対象項目名】００１６
【補正方法】変更
【補正の内容】
【００１６】
９．本請求項１に係る発明は、多数の穴を形成した頭骨型材を用いて、薄膜に刺し植した毛材の先端側をこの穴から引き出されるように設定することにより、基端部の屈折動作を基端部側のみに付与することができ、表面側の毛材の出方、傾斜方向を自然な状態に設定することができる。頭骨型材は、頭蓋骨をモデルとしており、頭頂部は平坦から緩傾斜であって側頭部や後頭部にかけて急傾斜となる。薄膜の植毛される部分はこの必要な部分にセットされるので、傾斜に沿った刺し植方向と屈折が容易に行うことができる。例えば、頭頂部は平坦なので、屈折は直角に近くなり、毛材は表面側では立ち上がりが大きくなり、より自然な頭髪に近くなる。
１０．本請求項２に係る発明は、頭骨型材の凸側表面に薄膜を載置する場合は、頭骨型材の内側から穴を通して刺し植することにより、基端部を表面側に露出することができ、刺し植した状態で屈折及び合成樹脂皮膜を形成して、植毛状態を固定し、外してから反転して毛先側を表面に出すことができる。この場合、頭骨型材と薄膜の間に植毛用デザイン台紙を配置すると、植毛後に頭骨型材から外した状態において、植毛用デザイン台紙を引き抜くことができる。
１１．本請求項３に係る発明は、頭骨型材の裏面凹側表面に薄膜を載置する場合は、凹面側を上に向け、穴を通して外側から刺し植することにより、基端部を凹面側に露出することができ、刺し植した状態で屈折及び合成樹脂皮膜を形成して、植毛状態を固定し、内側に引き抜いて外すとそのまま毛先側を表面に出すことができる。この場合、頭骨型材と薄膜の間に植毛用デザイン台紙を配置すると、植毛後に頭骨型材から外した状態において、植毛用デザイン台紙を引く抜くことができる。
【手続補正１２】
【補正対象書類名】明細書
【補正対象項目名】００１７
【補正方法】変更
【補正の内容】
【００１７】
１２．本請求項４に係る発明は、植毛によってつむじの渦巻きの毛流を形成することができる。
１３．本請求項５に係る発明は、刺し植する前に基端部を曲折した毛材を準備し、この曲折毛材を刺し植すると、薄膜への屈折固定が容易になる。
１４．本請求項６に係る発明は、毛材の植設を容易にする毛流が表示されたかつら製造用のデザイン台紙を提供する。
【手続補正１３】
【補正対象書類名】明細書
【補正対象項目名】００１８
【補正方法】変更
【補正の内容】
【００１８】
１５．本請求項７に係る発明は、あらかじめ曲折加工した毛材を提供する物である。頭髪の生え角度は場所によって異なっており、あらかじめ各種の屈折角度に曲折した毛材を準備することにより、植毛箇所に応じた屈折状態の毛材を供給することができる。
１６．本請求項８、９に係る発明は、本製法によって、上記１〜１１の特徴を備えたかつらを実現して、自然なつむじが形成されたかつらを提供できる。